(57)【要約】【課題】画像表示装置を用いて説明等を行う際に、説明の遅延を抑制することが可能な画像表示システム及びその制御方法、並びにプログラムを提供する。【解決手段】複数のコンピューター１とプロジェクター２とがネットワーク３を介して接続された画像表示システム１００において、複数のコンピューター１のうち、画像の表示を指示されたコンピューター１の制御装置は、プロジェクター２への画像情報の出力を開始する。そして、プロジェクター２は、この画像情報に基づく画像を投写（表示）する。また、コンピューター１の制御装置は、画像情報の出力を開始してからの経過時間、即ち表示画像の表示を開始してからの経過時間を計測するための計時を開始し、その経過時間が、予め設定された表示可能時間に達した場合には、プロジェクター２への画像情報の出力を停止して、画像の表示を停止させる。【選択図】図１
2011242713.tif 000002
【特許請求の範囲】
【請求項１】
画像情報を供給する複数の画像供給装置と、前記画像情報に基づく画像を表示する画像表示装置と、を備えた画像表示システムであって、
前記複数の画像供給装置の中の１つの画像供給装置から供給される画像情報に基づく画像を、前記画像表示装置に表示させる制御部と、
前記画像を表示することが可能な表示可能時間を記憶する記憶部と、
前記画像表示装置に前記画像を表示させてからの経過時間を計測する計時部と、
を備え、
前記制御部は、前記計時部によって計測された前記経過時間が前記表示可能時間に達した場合に、前記画像表示装置に前記画像の表示を停止させることを特徴とする画像表示システム。
【請求項２】
請求項１に記載の画像表示システムであって、
前記制御部は、前記経過時間が前記表示可能時間に達した場合に、他の画像供給装置から供給される画像情報に基づく画像を前記画像表示装置に表示させることを特徴とする画像表示システム。
【請求項３】
請求項２に記載の画像表示システムであって、
前記経過時間が前記表示可能時間に達する度に、表示対象の画像供給装置が所定の順序で順次切り替わることを特徴とする画像表示システム。
【請求項４】
請求項１〜３のいずれか一項に記載の画像表示システムであって、
前記制御部は、前記経過時間、又は前記表示可能時間から前記経過時間を引いた残り時間を前記画像表示装置に表示させることを特徴とする画像表示システム。
【請求項５】
請求項１〜４のいずれか一項に記載の画像表示システムであって、
前記制御部は、前記経過時間が前記表示可能時間に達する前に前記画像の表示を中断させることが可能であり、前記経過時間の累積が前記表示可能時間に達した場合に、前記画像の表示を停止させることを特徴とする画像表示システム。
【請求項６】
画像情報を供給する複数の画像供給装置と、前記画像情報に基づく画像を表示する画像表示装置と、を備えた画像表示システムの制御方法であって、
前記複数の画像供給装置の中の１つの画像供給装置から供給される画像情報に基づく画像を、前記画像表示装置に表示させる表示ステップと、
前記画像表示装置に前記画像を表示させてからの経過時間を計測させる計時ステップと、
前記経過時間が予め設定された表示可能時間に達した場合に、前記画像表示装置に前記画像の表示を停止させる停止ステップと、
を備えたことを特徴とする画像表示システムの制御方法。
【請求項７】
画像情報を供給する複数のコンピューターと、前記画像情報に基づく画像を表示する画像表示装置と、を備えた画像表示システムにおける前記コンピューターに、
前記画像表示装置に画像情報を供給させて、前記画像情報に基づく画像を表示させる表示ステップと、
前記画像表示装置に前記画像を表示させてからの経過時間を計測させる計時ステップと、
前記経過時間が予め設定された表示可能時間に達した場合に、前記画像表示装置に前記画像の表示を停止させる停止ステップと、
を実行させるプログラム。
【発明の詳細な説明】
【技術分野】
【０００１】
本発明は、画像情報を供給する複数の画像供給装置と、画像供給装置から供給される画像情報に基づく画像を表示する画像表示装置とを備えた画像表示システム及びその制御方法、並びにプログラムに関する。
【背景技術】
【０００２】
１台の画像表示装置（例えば、プロジェクター）に複数の画像供給装置（例えば、コンピューター）を接続し、画像表示装置が表示する１つの画面内に、各画像供給装置から出力される画像情報に基づく複数の画像を表示するシステムが種々提案されている（例えば、特許文献１参照）。このようなシステムを用いれば、複数の資料を参照しながら検討を行ったり、各資料の比較を行ったりすることが可能となるため、会議等の効率化や活性化を支援することが可能となる。また、このようなシステムにおいて、複数の画像供給装置を事前に接続しておけば、複数の画像供給装置からの画像を順次表示する場合でも、画像供給装置を接続し直す作業が不要となる。このため、画像を切り替える際の中断時間が短縮され、会議の効率が向上する。
【先行技術文献】
【特許文献】
【０００３】
【特許文献１】特開２００４−５４１３４号公報
【発明の概要】
【発明が解決しようとする課題】
【０００４】
しかしながら、資料等を画像表示装置で表示しながら説明者が説明を行う会議において、会議の効率は、説明者の裁量に大きく左右されてしまう。このため、画像表示装置を用いて行われる会議をさらに効率化するためには、説明者による説明の遅延を抑制したり、説明者に効率的な説明を促したりすることが可能なシステムが求められている。
【課題を解決するための手段】
【０００５】
本発明は、上述の課題の少なくとも一部を解決するためになされたものであり、以下の形態又は適用例として実現することが可能である。
【０００６】
［適用例１］本適用例に係る画像表示システムは、画像情報を供給する複数の画像供給装置と、前記画像情報に基づく画像を表示する画像表示装置と、を備えた画像表示システムであって、前記複数の画像供給装置の中の１つの画像供給装置から供給される画像情報に基づく画像を、前記画像表示装置に表示させる制御部と、前記画像を表示することが可能な表示可能時間を記憶する記憶部と、前記画像表示装置に前記画像を表示させてからの経過時間を計測する計時部と、を備え、前記制御部は、前記計時部によって計測された前記経過時間が前記表示可能時間に達した場合に、前記画像表示装置に前記画像の表示を停止させることを特徴とする。
【０００７】
この画像表示システムによれば、画像表示装置に画像を表示させてからの経過時間が表示可能時間に達した場合に、制御部は、画像表示装置に画像の表示を停止させるため、表示可能時間を越えて画像を表示させることができなくなる。このため、画像表示装置を用いて説明等を行う際に、説明の遅延を抑制することが可能となる。
【０００８】
［適用例２］上記適用例に係る画像表示システムにおいて、前記制御部は、前記経過時間が前記表示可能時間に達した場合に、他の画像供給装置から供給される画像情報に基づく画像を前記画像表示装置に表示させるようにしてもよい。
【０００９】
この画像表示システムによれば、画像表示装置に画像を表示させてからの経過時間が表示可能時間に達した場合に、制御部は、他の画像供給装置から供給される画像情報に基づく画像を画像表示装置に表示させる。このため、画像表示装置を用いて説明等を行っている際に経過時間が表示可能時間に達すると、次の説明が始まることになるため、説明者に効率的な説明を促すことが可能となる。
【００１０】
［適用例３］上記適用例に係る画像表示システムにおいて、前記経過時間が前記表示可能時間に達する度に、表示対象の画像供給装置が所定の順序で順次切り替わることが望ましい。
【００１１】
［適用例４］上記適用例に係る画像表示システムにおいて、前記制御部は、前記経過時間、又は前記表示可能時間から前記経過時間を引いた残り時間を前記画像表示装置に表示させることが望ましい。
【００１２】
この画像表示システムによれば、説明者が経過時間又は残り時間を考慮した説明を行うことが可能となるため、会議の効率が一層向上する。
【００１３】
［適用例５］上記適用例に係る画像表示システムにおいて、前記制御部は、前記経過時間が前記表示可能時間に達する前に前記画像の表示を中断させることが可能であり、前記経過時間の累積が前記表示可能時間に達した場合に、前記画像の表示を停止させるようにしてもよい。
【００１４】
［適用例６］本適用例に係る画像表示システムの制御方法は、画像情報を供給する複数の画像供給装置と、前記画像情報に基づく画像を表示する画像表示装置と、を備えた画像表示システムの制御方法であって、前記複数の画像供給装置の中の１つの画像供給装置から供給される画像情報に基づく画像を、前記画像表示装置に表示させる表示ステップと、前記画像表示装置に前記画像を表示させてからの経過時間を計測させる計時ステップと、前記経過時間が予め設定された表示可能時間に達した場合に、前記画像表示装置に前記画像の表示を停止させる停止ステップと、を備えたことを特徴とする。
【００１５】
この画像表示システムの制御方法によれば、画像表示装置に画像を表示させてからの経過時間が表示可能時間に達した場合に、画像表示装置に画像の表示を停止させるため、表示可能時間を越えて画像を表示させることができなくなる。このため、画像表示装置を用いて説明等を行う際に、説明の遅延を抑制することが可能となる。
【００１６】
［適用例７］本適用例に係るプログラムは、画像情報を供給する複数のコンピューターと、前記画像情報に基づく画像を表示する画像表示装置と、を備えた画像表示システムにおける前記コンピューターに、前記画像表示装置に画像情報を供給させて、前記画像情報に基づく画像を表示させる表示ステップと、前記画像表示装置に前記画像を表示させてからの経過時間を計測させる計時ステップと、前記経過時間が予め設定された表示可能時間に達した場合に、前記画像表示装置に前記画像の表示を停止させる停止ステップと、を実行させる。
【００１７】
このプログラムによれば、画像表示装置に画像を表示させてからの経過時間が表示可能時間に達した場合に、画像表示装置に画像の表示を停止させるため、表示可能時間を越えて画像を表示させることができなくなる。このため、画像表示装置を用いて説明等を行う際に、説明の遅延を抑制することが可能となる。
【図面の簡単な説明】
【００１８】
【図１】画像表示システムの概略構成を示す構成図。
【図２】コンピューター及びプロジェクターの内部構成を示すブロック図。
【図３】表示制御プログラムに基づくコンピューターの動作を説明するための説明図であり、ディスプレイに表示される操作画面を示す図。
【図４】第１実施形態の表示制御プログラムに基づくコンピューターの動作を説明するためのフローチャート。
【図５】第２実施形態の表示制御プログラムに基づくコンピューターの動作を説明するためのフローチャート。
【図６】変形例に係る画像表示システムで表示された表示画像を示す図。
【発明を実施するための形態】
【００１９】
（第１実施形態）
以下、第１実施形態の画像表示システムについて、図面を参照して説明する。
図１は、本実施形態の画像表示システムの概略構成を示す構成図である。
図１に示すように、画像表示システム１００は、会議等を行う際に用いられるシステムであり、画像情報を供給する画像供給装置としての複数のコンピューター１（１ａ〜１ｄ）と、画像を表示する画像表示装置としてのプロジェクター２と、を備えて構成されている。この画像表示システム１００において、複数のコンピューター１とプロジェクター２は、ネットワーク３を介して互いに接続されている。
【００２０】
コンピューター１は、それぞれディスプレイ１２を備えており、会議の資料等を、ディスプレイ１２上に画像（表示画像）として表示することができる。また、各コンピューター１には、表示画像をプロジェクター２で投写するためのアプリケーションプログラム（表示制御プログラム）がインストールされており、コンピューター１は、この表示制御プログラムに従って動作している間、表示画像をキャプチャーして画像情報を生成し、ネットワーク３を介してプロジェクター２に出力することができる。また、コンピューター１は、自己以外の他のコンピューター１及びプロジェクター２に対し、ネットワーク３を介して様々な制御情報を出力することもできる。
【００２１】
プロジェクター２は、コンピューター１から入力される画像情報及び制御情報に基づく画像を、スクリーンやホワイトボード、壁面等の表面（以降、「投写面Ｓ」とも呼ぶ。）に投写して表示する。
【００２２】
図２は、コンピューター１及びプロジェクター２の内部構成を示すブロック図である。
図２に示すように、コンピューター１は、ＣＰＵ（Central Processing Unit）やＲＡＭ（Random Access Memory）等からなる制御装置１０、ハードディスクドライブやフラッシュメモリー等の記憶装置１１、液晶表示装置等のディスプレイ１２、キーボード等の入力装置１３、マウスやタッチパッド等のポインティングデバイス１４、ネットワーク３を介した通信を行う通信装置１５を備えている。コンピューター１としては、例えば、ノート型のパーソナルコンピューターを用いることが可能であり、この場合には、コンピューター１は、制御装置１０、記憶装置１１、ディスプレイ１２、入力装置１３、ポインティングデバイス１４、及び通信装置１５を一体的に備えて構成される。
【００２３】
制御装置１０は、記憶装置１１に記憶されているＯＳ（Operating System）やアプリケーションプログラム等に従って動作し、入力装置１３等を用いてなされるユーザーの指示に応じて様々な処理を行い、処理結果等をディスプレイ１２に表示させる。ここで、本実施形態のコンピューター１に採用されているＯＳは、ＧＵＩ（Graphical User Interface）を備えたものであり、ユーザーは、ディスプレイ１２に表示されるポインター（図示せず）を、ポインティングデバイス１４を用いて移動させるとともに、クリックやドラッグ等の操作を行うことによってコンピューター１に各種指示を与えることもできる。また、上述したように、本実施形態の記憶装置１１には、表示制御プログラムがインストールされている。
【００２４】
プロジェクター２は、ＣＰＵやＲＡＭ等からなる制御部２０、フラッシュメモリー等の記憶部２１、複数の操作キーを備えた入力操作部２２、ネットワーク３を介した通信を行う通信部２３、各種画像処理を行う画像処理部２４、画像の投写を行う画像投写部２５を備えている。画像処理部２４は、コンピューター１から通信部２３に入力される画像情報及び制御情報に基づいて、投写すべき画像（投写画像）に対応する画像情報を生成し、画像投写部２５に出力する。また、画像処理部２４は、メッセージや設定メニュー等のＯＳＤ（オンスクリーンディスプレイ）画像を重畳する処理等を行うことができる。画像投写部２５は、光源、光変調装置、投写レンズ（いずれも図示せず）等を備え、光源から射出された光を、画像処理部２４によって生成された画像情報に応じて光変調装置で変調し、この変調光を投写レンズによって外部に投写する。この結果、投写面Ｓに投写画像が表示される。
【００２５】
図３は、表示制御プログラムに基づくコンピューター１の動作を説明するための説明図であり、表示制御プログラムが起動した際にディスプレイ１２に表示される操作画面を示す図である。ユーザーが入力装置１３又はポインティングデバイス１４を用いて表示制御プログラムの起動を指示すると、コンピューター１の制御装置１０は、この指示を受け付けて、表示制御プログラムを起動させ、図３に示す操作画面をディスプレイ１２上に表示させる。
【００２６】
図３に示すように、操作画面Ｗ１には、プログラムのタイトル等が記されたタイトル表示部Ａ１、「ファイル」や「ヘルプ」等のメニュー項目が記されたメニュー表示部Ａ２、接続されているプロジェクター２の識別名（プロジェクター名）が記された識別名表示部Ａ３が備えられている。さらに、操作画面Ｗ１には、識別名表示部Ａ３の下側に、投写画像の画面構成を選択するための画面構成選択部Ａ４と、選択されている画面構成を表示する画面構成表示部Ａ５と、コンピューター１を選択するための装置選択部Ａ６と、画像の表示を制御するための表示制御部Ａ７とが配置されている。
【００２７】
画面構成選択部Ａ４で選択可能な画面構成としては、１つのコンピューター１から供給される画像情報に基づく画像（表示画像）を投写画像の全体に表示する「全画面表示」と、２つのコンピューター１からの表示画像を左右に並べて表示する「２画面表示」と、４つのコンピューター１からの表示画像を２行２列に並べて表示する「４画面表示」とがある。画面構成選択部Ａ４には、各画面構成に対応する複数の選択画像が配置されており、ユーザーは、いずれか１つの選択画像をポインティングデバイス１４でクリックすることによって、画面構成を選択することができる。そして、ユーザーが選択した画面構成は、画面構成表示部Ａ５に反映される。
【００２８】
装置選択部Ａ６には、ネットワーク３に接続されているコンピューター１を識別するための識別画像Ｐが表示されており、本実施形態では、４つのコンピューター１ａ〜１ｄに対応する４つの識別画像Ｐａ〜Ｐｄが表示されている。ユーザーは、所望の識別画像Ｐをポインティングデバイス１４でドラッグして、画面構成表示部Ａ５上にドロップすることにより、表示対象となるコンピューター１を選択することができる。なお、２画面表示では、２つのコンピューター１を選択可能であり、４画面表示では、４つまでのコンピューター１を選択することができる。そして、ユーザーが選択したコンピューター１は、画面構成表示部Ａ５に示される。
【００２９】
表示制御部Ａ７には、選択されたコンピューター１の表示画像の表示を開始させるための開始ボタンＢＳと、表示を停止させるための停止ボタンＢＥとが配置されている。ユーザーは、開始ボタンＢＳや停止ボタンＢＥをポインティングデバイス１４でクリックすることにより、選択されているコンピューター１からの表示画像の表示を開始したり、停止したりすることができる。
【００３０】
操作画面Ｗ１に対する上記の種々の操作は、いずれのコンピューター１でも行うことが可能であり、自己以外の他のコンピューター１を選択して、表示画像の表示を開始させたりすることもできる。各コンピューター１の操作画面Ｗ１でなされた操作内容は、他のコンピューター１やプロジェクター２にも制御情報として通知される。そして、操作がなされたコンピューター１の画面構成表示部Ａ５の表示内容は、他のコンピューター１の画面構成表示部Ａ５にも反映される。
【００３１】
また、表示制御部Ａ７には、表示画像を全画面表示できる時間（表示可能時間）をコンピューター１毎に個別に設定するための時間設定ボタンＢＴが設けられている。ユーザーが、装置選択部Ａ６の識別画像Ｐをポインティングデバイス１４でクリックすることにより所望のコンピューター１を指定し、その後で時間設定ボタンＢＴをクリックすると、図示しない時間入力画面が操作画面Ｗ１上に表示される。そして、この時間入力画面上で所望の時間を入力することにより、指定したコンピューター１の表示可能時間を設定することができる。設定された表示可能時間は、制御情報として他のコンピューター１にも通知される。そして、各コンピューター１の制御装置１０は、設定された表示可能時間のうち自己の表示可能時間を記憶装置１１に記憶する。なお、表示可能時間を設定する操作がなされていない場合には、前回設定された表示可能時間を適用してもよいし、所定の初期値を適用するようにしてもよい。
【００３２】
図４は、表示制御プログラムに基づくコンピューター１の動作を説明するためのフローチャートであり、画面構成として全画面表示が選択されている場合の動作を示すものである。全画面表示が選択されている場合において、いずれかのコンピューター１で開始ボタンＢＳが操作されると、このコンピューター１は、表示対象として選択されているコンピューター１に対して、表示の開始を指示する制御情報を出力する。そして、表示対象のコンピューター１は、この指示を受けると、図４に示すフローに従って動作する。
【００３３】
図４に示すように、ステップＳ１０１では、制御装置１０は、記憶装置１１に記憶されている表示可能時間を読み出して、自己の表示可能時間が０よりも大きいか否かを判断する。そして、表示可能時間が０よりも大きい場合にはステップＳ１０２に移行し、表示可能時間が０である場合にはステップＳ１１２に移行する。
【００３４】
表示可能時間が０よりも大きくてステップＳ１０２に移行した場合には、制御装置１０は、プロジェクター２への画像情報の出力を開始する。つまり、制御装置１０は、表示画像をキャプチャーして画像情報を生成し、通信装置１５からプロジェクター２に出力する。これにより、自己の表示画像が単独でプロジェクター２から投写され、投写面Ｓに全画面表示される。
【００３５】
ステップＳ１０３では、制御装置１０は、ステップＳ１０２で画像情報の出力を開始してからの経過時間、即ち表示画像の表示を開始してからの経過時間を計測するための計時を開始する。
【００３６】
ステップＳ１０４では、制御装置１０は、表示画像の表示を停止する指示がなされたか否かを判断する。そして、停止する指示がなされた場合、即ち自己の操作画面Ｗ１において停止ボタンＢＥが操作されるか、或いは停止ボタンＢＥが操作されたことを示す制御情報が他のコンピューター１から入力された場合には、ステップＳ１０６に移行する。一方、停止する指示がなされていない場合にはステップＳ１０５に移行する。
【００３７】
画像の表示を停止する指示がなされておらずにステップＳ１０５に移行した場合には、制御装置１０は、表示画像の表示を開始してからの経過時間が、表示可能時間に達したか否かを判断する。そして、表示可能時間に達した場合にはステップＳ１０９に移行し、表示可能時間に達していない場合にはステップＳ１０４に戻る。
【００３８】
一方、ステップＳ１０４において画像の表示を停止する指示がなされてステップＳ１０６に移行した場合には、制御装置１０は、プロジェクター２への画像情報の出力を停止して、画像の表示を停止させ、続くステップＳ１０７では、経過時間の計時を停止する。そして、ステップＳ１０８では、制御装置１０は、ここまでの経過時間を表示可能時間から減じる演算を行い、演算後の時間を新たな表示可能時間として記憶装置１１に記憶して、フローを終了する。つまり、制御装置１０は、経過時間に応じて表示可能時間を更新し、フローを終了する。
【００３９】
また、ステップＳ１０５において表示可能時間に達してステップＳ１０９に移行した場合には、制御装置１０は、プロジェクター２への画像情報の出力を停止して、画像の表示を停止させる。そして、ステップＳ１１０では、制御装置１０は、経過時間の計時を停止し、ステップＳ１１１では、表示可能時間を０に設定する。その後、ステップＳ１１２では、制御装置１０は、プロジェクター２に制御情報を出力し、経過時間が表示可能時間に達したこと通知して、フローを終了する。プロジェクター２は、この制御情報を受け付けると、表示可能時間に達したために画像の表示ができないことを示すメッセージ（図示せず）を投写（表示）する。
【００４０】
このように、本実施形態の画像表示システム１００では、表示画像を全画面表示で表示してからの経過時間が、予め設定した表示可能時間に達した場合に、制御装置１０は、画像情報の出力を強制的に停止する。これにより、プロジェクター２による表示画像の表示が停止する。このとき、表示可能時間を０にしているため、ユーザーは、すぐに開始ボタンＢＳを操作しても、画像の表示を再開することはできず、再び表示画像を表示させるためには、表示可能時間を設定し直さなければならない。
【００４１】
また、経過時間が表示可能時間に達する前に停止ボタンＢＥが操作された場合には、制御装置１０は、画像の表示を一旦停止するものの、表示可能時間が残っているため、ユーザーは、後で開始ボタンＢＳを操作することによって、画像の表示を再開させることができる。つまり、制御装置１０は、停止ボタンＢＥが操作された場合に、表示画像の表示を中断させることが可能であり、経過時間の累積が表示可能時間に達した場合に、画像の表示を強制的に停止させる。
【００４２】
以上説明したように、本実施形態の画像表示システム１００によれば、コンピューター１の表示画像をプロジェクター２に全画面表示させてからの経過時間が表示可能時間に達した場合に、表示画像の表示を強制的に停止させるため、予め設定された表示可能時間を越えて画像を表示させることができなくなる。このため、プロジェクター２を用いて説明等を行う際に、説明の遅延を抑制することが可能となる。
【００４３】
（第２実施形態）
以下、第２実施形態の画像表示システムについて、図面を参照して説明する。
本実施形態の画像表示システム１００は、第１実施形態と同一のハードウェア構成（図２参照）を有しているが、コンピューター１にインストールされている表示制御プログラムが第１実施形態とは異なっている。具体的には、本実施形態において、全画面表示で表示画像の表示を行う場合には、設定した表示可能時間が経過する度に、所定の順序で表示対象のコンピューター１が切り替わるようになっている。そして、最後のコンピューター１の表示画像が表示されて表示可能時間が経過した場合には、再び最初のコンピューター１の表示画像が表示され、ユーザーによって停止ボタンＢＥが操作されるまで、この動作を繰り返す。
【００４４】
本実施形態の表示制御プログラムでは、操作画面Ｗ１（図３参照）の装置選択部Ａ６内に配置されている識別画像Ｐを並べ替えることにより、表示画像を表示するコンピューター１の順序（表示順序）を設定することができる。ユーザーは、ポインティングデバイス１４を用いて、装置選択部Ａ６内で識別画像Ｐをドラッグアンドドロップすることにより、識別画像Ｐの並べ替えを行うことが可能であり、所望の順序に並べ替えて表示順序を設定すると、設定された表示順序は、制御情報として他のコンピューター１にも出力される。そして、各コンピューター１の制御装置１０は、入力された表示順序を記憶装置１１に記憶する。
【００４５】
図５は、本実施形態の表示制御プログラムに基づくコンピューター１の動作を説明するためのフローチャートであり、画面構成として全画面表示が選択されている場合の動作を示すものである。全画面表示が選択されている場合において、いずれかのコンピューター１で開始ボタンＢＳが操作されると、このコンピューター１は、表示順序が最初（１番）のコンピューター１に対して、表示の開始を指示する制御情報を出力する。そして、表示順序が最初のコンピューター１は、この指示を受けると、図５に示すフローに従って動作する。
【００４６】
図５に示すように、ステップＳ２０１では、制御装置１０は、プロジェクター２への画像情報の出力を開始する。つまり、制御装置１０は、表示画像をキャプチャーして画像情報を生成し、通信装置１５からプロジェクター２に出力する。これにより、自己の表示画像がプロジェクター２から投写され、投写面Ｓに表示される。
【００４７】
ステップＳ２０２では、制御装置１０は、ステップＳ２０１で画像情報の出力を開始してからの経過時間、即ち表示画像の表示を開始してからの経過時間を計測するための計時を開始する。
【００４８】
ステップＳ２０３では、制御装置１０は、画像の表示を停止する指示がなされたか否かを判断する。そして、停止する指示がなされた場合、即ち自己の操作画面Ｗ１において停止ボタンＢＥが操作されるか、或いは停止ボタンＢＥが操作されたことを示す制御情報が他のコンピューター１から入力された場合には、ステップＳ２０５に移行する。一方、停止する指示がなされていない場合にはステップＳ２０４に移行する。
【００４９】
画像の表示を停止する指示がなされておらずにステップＳ２０４に移行した場合には、制御装置１０は、表示画像の表示を開始してからの経過時間が、表示可能時間に達したか否かを判断する。そして、表示可能時間に達した場合にはステップＳ２０７に移行し、表示可能時間に達していない場合にはステップＳ２０３に戻る。
【００５０】
一方、ステップＳ２０３において画像の表示を停止する指示がなされてステップＳ２０５に移行した場合には、制御装置１０は、プロジェクター２への画像情報の出力を停止して、画像の表示を停止させ、続くステップＳ２０６では、経過時間の計時を停止して、フローを終了する。
【００５１】
また、ステップＳ２０４において表示可能時間に達してステップＳ２０７に移行した場合には、制御装置１０は、プロジェクター２への画像情報の出力を停止して、画像の表示を停止させ、続くステップＳ２０８では、経過時間の計時を停止する。そして、ステップＳ２０９では、制御装置１０は、記憶装置１１に記憶されている表示順序を読み出して、順序が次のコンピューター１に表示の開始、即ち画像情報の出力の開始を指示する制御情報を出力し、フローを終了する。そして、引き続き、この指示を受けたコンピューター１が、本フローに従った動作（制御）を開始し、これ以降も順次、表示順序が次のコンピューター１に制御が引き継がれる。この結果、表示可能時間が経過する度に、表示対象のコンピューター１が表示順序に従って順次切り替わり、停止ボタンＢＥが操作されるまで繰り返される。
【００５２】
以上説明したように、本実施形態の画像表示システム１００によれば、コンピューター１の表示画像をプロジェクター２に全画面表示させてからの経過時間が表示可能時間に達した場合に、他のコンピューター１からの表示画像をプロジェクター２に表示させている。このため、プロジェクター２を用いて説明等を行っている場合に、予め設定された表示可能時間が経過すると、次の説明が始まることになるため、説明者に効率的な説明を促すことが可能となる。
【００５３】
例えば、本実施形態の画像表示システム１００は、会議に参加している参加者が複数のグループに分かれてアイディアを出し合うような状況で利用することができる。具体的には、表示可能時間を１分程度の比較的短い時間に設定し、各グループが出したアイディアの説明資料を表示可能時間毎に順次切り替えながら表示させるとともに、他のグループが説明を行っている間に、新たなアイディアを出して説明資料を更新していく作業を繰り返すようにすれば、短い時間内で多くのアイディアを出し合うことが可能となる。
【００５４】
なお、第１及び第２実施形態において、コンピューター１の制御装置１０が制御部に相当し、記憶装置１１が記憶部に相当する。また、経過時間の計測を行う際の制御装置１０が計時部に相当する。また、ステップＳ１０２，Ｓ２０１が表示ステップに相当し、ステップＳ１０３，Ｓ２０２が計時ステップに相当し、ステップＳ１０９，Ｓ２０７が停止ステップに相当する。
【００５５】
（変形例）
上記実施形態は、以下のように変更してもよい。
【００５６】
上記実施形態では、コンピューター１が画像情報の出力を停止することによって、プロジェクター２による画像の投写（表示）を停止させているが、この態様に限定されない。例えば、画像の投写を停止させるための制御情報をコンピューター１からプロジェクター２に出力し、プロジェクター２がこの制御情報に基づいて画像の投写を停止するようにすれば、コンピューター１からプロジェクター２への画像情報の出力は継続していてもよい。
【００５７】
上記実施形態では、いずれのコンピューター１でもプロジェクター２による画像の表示を制御できるようになっているが、特定のコンピューター１でのみ制御が可能な態様にしてもよい。また、表示制御プログラムが実現する機能と同等の機能をプロジェクター２に搭載して、プロジェクター２が自ら制御を行う態様とすることも可能である。例えば、プロジェクター２に、ディスプレイ１２に相当する表示部や、入力装置１３及びポインティングデバイス１４に相当する入力操作部を設け、操作画面Ｗ１に相当する画像を表示部に表示させながら、表示可能時間の設定等を入力操作部で行うようにすればよい。
【００５８】
上記実施形態では、コンピューター１とプロジェクター２とがネットワーク３を介して通信可能になっているが、ネットワーク３の形態は、無線であっても有線であってもよい。また、コンピューター１とプロジェクター２との通信は、ネットワーク３を介した通信に限定されず、コンピューター１とプロジェクター２とを直接接続して通信する態様としてもよい。この場合においてコンピューター１同士が通信する際には、プロジェクター２を介して通信すればよい。
【００５９】
上記実施形態において、表示画像を全画面表示する際に、表示を開始してからの経過時間、又は表示可能時間から経過時間を差し引いた残り時間を、表示画像上に重畳して表示するようにしてもよい（図６参照）。これによれば、説明者が経過時間又は残り時間を考慮した説明を行うことが可能となるため、会議の効率が一層向上する。経過時間や残り時間を表示するためには、例えば、コンピューター１の制御装置１０が、経過時間又は残り時間を表示画像に重畳させる処理を行って、処理後の画像情報をプロジェクター２に出力するようにしてもよい。或いは、コンピューター１からプロジェクター２に経過時間又は残り時間を表示するための制御情報を出力し、プロジェクター２の画像処理部２４にＯＳＤ画像として重畳させるようにしてもよい。
【００６０】
上記実施形態では、装置選択部Ａ６でコンピューター１を指定した後で時間設定ボタンＢＴをクリックすることにより、表示可能時間をコンピューター１毎に個別に設定することが可能になっているが、コンピューター１を指定せずに１つの表示可能時間を設定するようにして、これをすべてのコンピューター１に適用するようにしてもよい。つまり、すべてのコンピューター１の表示可能時間が等しくなるようにしてもよい。また、設定した１つの表示可能時間を複数のコンピューター１で共有できるようにしてもよい。
【００６１】
上記実施形態において、設定した表示可能時間を他のコンピューター１から変更されることを防ぐために、表示可能時間の変更を禁止する機能を備えるようにしてもよい。例えば、操作画面Ｗ１内に、表示可能時間の変更を禁止（ロック）するためのボタン（ロックボタン）やロックを解除するためのボタン（ロック解除ボタン）を備えるようにする。そして、装置選択部Ａ６でコンピューター１を選択した後にロックボタンを操作することにより、選択したコンピューター１の表示可能時間の変更を禁止し、以降、ロックボタンを操作したコンピューター１でのみロックの解除を可能とすればよい。
【００６２】
上記実施形態では、表示画像を投写画像の全体に表示（全画面表示）できる時間を表示可能時間としているが、表示可能時間内の表示状態は、全画面表示に限定されない。例えば、投写画像よりもやや小さい範囲に表示画像を表示する状態としてもよいし、さらに、他のコンピューター１からの表示画像を縮小して同時に表示するようにしてもよい。つまり、表示可能時間内の表示状態は、１つの表示画像を主たる画像として表示する状態であればよい。
【００６３】
上記実施形態において、ネットワーク３に接続可能なコンピューター１の数は４つまでに限定されず、それ以上のコンピューター１を接続できるようにしてもよい。
【００６４】
上記実施形態では、コンピューター１がノート型のパーソナルコンピューターの場合を示したが、コンピューター１は、ノート型のパーソナルコンピューターに限定されない。例えば、デスクトップ型のパーソナルコンピューターのように、ディスプレイ１２、入力装置１３、ポインティングデバイス１４の全部又は一部が外付けで接続される構成のコンピューターであってもよいし、ＰＤＡ（Personal Digital Assistant）等の携帯型情報機器であってもよい。また、画像供給装置は、コンピューター１等の情報機器に限られず、各種画像再生装置等であってもよい。
【００６５】
上記実施形態では、画像表示装置として、プロジェクター２を用いているが、画像表示装置はプロジェクター２に限定されない。例えば、透過型のスクリーンを一体的に備えたリアプロジェクター、液晶ディスプレイ、プラズマディスプレイ、ＳＥＤ（Surface-conduction Electron-emitter Display）、有機ＥＬ（Electro Luminescence）ディスプレイ等、他の画像表示装置に適用することも可能である。
【符号の説明】
【００６６】
１，１ａ，１ｂ，１ｃ，１ｄ…コンピューター、２…プロジェクター、３…ネットワーク、１０…制御装置、１１…記憶装置、１２…ディスプレイ、１３…入力装置、１４…ポインティングデバイス、１５…通信装置、２０…制御部、２１…記憶部、２２…入力操作部、２３…通信部、２４…画像処理部、２５…画像投写部、１００…画像表示システム、Ａ１…タイトル表示部、Ａ２…メニュー表示部、Ａ３…識別名表示部、Ａ４…画面構成選択部、Ａ５…画面構成表示部、Ａ６…装置選択部、Ａ７…表示制御部、ＢＳ…開始ボタン、ＢＥ…停止ボタン、ＢＴ…時間設定ボタン、Ｐ，Ｐａ，Ｐｂ，Ｐｃ，Ｐｄ…識別画像、Ｓ…投写面、Ｗ１…操作画面。
【図１】
2011242713.tif 000003
【図２】
2011242713.tif 000004
【図３】
2011242713.tif 000005
【図４】
2011242713.tif 000006
【図５】
2011242713.tif 000007
【図６】
2011242713.tif 000008